(57)【要約】【課題】コンテンツの流通をより容易にする。【解決手段】暗号化コンテンツ情報をユーザに配布し、ユーザから鍵代金を受けると、暗号化コンテンツ情報を復号可能な鍵情報をユーザに配布することにより、コンテンツを流通させるコンテンツ流通システムであって、暗号化コンテンツ情報を示すコンテンツＩＤ、ユーザを示すユーザＩＤ、及び暗号化コンテンツ情報を配布した業者又はユーザを示す配布者ＩＤの組を管理し、鍵代金に相当する鍵代金情報と各ＩＤを含む送信要求とを受信すると、鍵情報を送信する管理センタ装置１０、を備える。【選択図】　図１
2004094677.tif 000002
【特許請求の範囲】
【請求項１】
暗号化コンテンツ情報をユーザに配布し、前記ユーザから鍵代金又は鍵代金支払い済み情報を受けると、前記暗号化コンテンツ情報を復号可能な鍵情報を前記ユーザに配布することにより、コンテンツを流通させるコンテンツ流通システムの管理装置であって、
前記暗号化コンテンツ情報を示すコンテンツＩＤ、前記ユーザを示すユーザＩＤ、及び前記暗号化コンテンツ情報を配布した業者又はユーザを示す配布者ＩＤの組を管理し、前記鍵代金に相当する鍵代金情報又は前記鍵代金支払い済み情報と前記各ＩＤを含む送信要求とを受信すると、前記鍵情報を送信する管理手段、
を備えたことを特徴とする管理装置。
【請求項２】
請求項１に記載の管理装置において、
前記ユーザの所属グループを示すグループＩＤと当該ユーザのユーザＩＤとの組を管理し、前記送信要求に含まれるユーザＩＤと同じ組のグループＩＤに応じて、当該ユーザに特典処理を実行するためのグループ処理手段、
を備えたことを特徴とする管理装置。
【請求項３】
請求項１又は請求項２に記載の管理装置において、
前記鍵情報を送信した場合、前記配布者ＩＤに基づいて、前記暗号化コンテンツ情報を配布した業者又はユーザに、前記鍵代金の範囲内で利益を分配する利益分配手段、
を備えたことを特徴とする管理装置。
【請求項４】
請求項１に記載の管理装置において、
前記ユーザＩＤと不正ユーザとの組を管理し、前記送信要求内のユーザＩＤが不正ユーザに該当するとき、前記鍵情報の送信を禁止する送信要求無効化手段、
を備えたことを特徴とする管理装置。
【請求項５】
請求項１に記載の管理装置において、
前記暗号化コンテンツ情報が複数の鍵情報により個別に復号可能な複数の暗号化コンテンツを含む場合、前記送信要求毎に、前記複数の鍵情報のうち、一部の鍵情報を送信する鍵配信手段、
を備えたことを特徴とする管理装置。
【請求項６】
請求項１に記載の管理装置において、
前記配布者ＩＤ、前記コンテンツＩＤ及び付加サービスの組を管理し、前記送信要求内の配布者ＩＤ及びコンテンツＩＤに基づいて、該当する付加サービスをユーザに提供する付加サービス提供手段、
を備えたことを特徴とする管理装置。
【請求項７】
暗号化コンテンツ情報をユーザに配布し、前記ユーザから鍵代金又は鍵代金支払い済み情報を受けると、前記暗号化コンテンツ情報を復号可能な鍵情報を前記ユーザに配布することにより、コンテンツを流通させるコンテンツ流通システムに関し、前記ユーザに一時的に占有される閲覧用装置であって、
前記ユーザに一時的に占有され、前記ユーザに配布された暗号化コンテンツ情報を予め保持した鍵情報に基づいて復号し、得られたコンテンツ情報を閲覧させるための閲覧手段、
を備えたことを特徴とする閲覧用装置。
【請求項８】
暗号化コンテンツ情報をユーザに配布し、前記ユーザから鍵代金又は鍵代金支払い済み情報を受けると、前記暗号化コンテンツ情報を復号可能な鍵情報を前記ユーザに配布することにより、コンテンツを流通させるコンテンツ流通システムの管理装置に用いられるプログラムであって、
前記管理装置のコンピュータを、
前記暗号化コンテンツ情報を示すコンテンツＩＤ及びこの暗号化コンテンツ情報を復号するための鍵情報の組を記憶するコンテンツ用データ記憶装置を管理する手段、
前記暗号化コンテンツ情報を示すコンテンツＩＤ、前記ユーザを示すユーザＩＤ、及び前記暗号化コンテンツ情報を配布した業者又はユーザを示す配布者ＩＤの組を記憶する鍵購入用データ記憶装置を管理する手段、
前記鍵代金に相当する鍵代金情報又は前記鍵代金支払い済み情報と前記各ＩＤを含む送信要求とを受信する手段、
前記受信した各ＩＤに基づいて前記各データ記憶装置を参照し、該当する鍵情報を送信する手段、
として機能させるためのプログラム。
【請求項９】
請求項８に記載のプログラムにおいて、
前記管理装置のコンピュータを、
前記ユーザの所属グループを示すグループＩＤと当該ユーザのユーザＩＤとの組を記憶するグループデータ記憶装置を管理する手段、
前記送信要求を受信すると、前記グループデータ記憶装置を参照して当該送信要求に含まれるユーザＩＤと同じ組のグループＩＤに応じて、当該ユーザに特典処理を実行する手段、
として機能させるためのプログラム。
【請求項１０】
請求項８又は請求項９に記載のプログラムにおいて、
前記管理装置のコンピュータを、
前記鍵情報を送信した場合、前記鍵購入用データ記憶装置内の配布者ＩＤに基づいて、前記暗号化コンテンツ情報を配布した業者又はユーザに、前記鍵代金の範囲内で利益を分配する手段、
として機能させるためのプログラム。
【請求項１１】
請求項８に記載のプログラムにおいて、
前記管理装置のコンピュータを、
前記ユーザＩＤと不正ユーザとの組を記憶するユーザデータ記憶装置を管理する手段、
前記送信要求を受信すると、前記ユーザデータ記憶装置を参照し、前記送信要求内のユーザＩＤが不正ユーザに該当するとき、前記鍵情報の送信を禁止する手段、
として機能させるためのプログラム。
【請求項１２】
請求項８に記載のプログラムにおいて、
前記暗号化コンテンツ情報が、複数の鍵情報により個別に復号可能な複数の暗号化コンテンツを含む場合、
前記管理装置のコンピュータを、
前記送信要求毎に、前記複数の鍵情報のうち、一部の鍵情報を送信する手段、
として機能させるためのプログラム。
【請求項１３】
暗号化コンテンツ情報が記憶されたコンテンツ記憶媒体をユーザに配布し、前記ユーザから鍵代金又は鍵代金支払い済み情報を受けると、前記暗号化コンテンツ情報を復号可能な鍵情報を前記ユーザに配布することにより、コンテンツを流通させるコンテンツ流通システムに関し、前記ユーザに一時的に占有される閲覧用装置に用いられるプログラムであって、
前記閲覧用装置のコンピュータを、
予め保持した鍵情報に基づいて、前記コンテンツ記憶媒体内の暗号化コンテンツ情報を復号して閲覧出力させる手段、
として機能させるためのプログラム。
【請求項１４】
暗号化コンテンツ情報をユーザに配布し、前記ユーザから鍵代金又は鍵代金支払い済み情報を受けると、前記暗号化コンテンツ情報を復号可能な鍵情報を前記ユーザに配布することにより、コンテンツを流通させるための管理装置に用いられるコンテンツ流通方法であって、
前記暗号化コンテンツ情報を示すコンテンツＩＤ及びこの暗号化コンテンツ情報を復号するための鍵情報の組を記憶するコンテンツ用データベースを準備する工程と、
前記暗号化コンテンツ情報を示すコンテンツＩＤ、前記ユーザを示すユーザＩＤ、及び前記暗号化コンテンツ情報を配布した業者又はユーザを示す配布者ＩＤの組を記憶する鍵購入用データベースを準備する工程と、
前記鍵代金に相当する鍵代金情報又は前記鍵代金支払い済み情報と前記各ＩＤを含む送信要求とを受信する工程と、
前記受信した各ＩＤに基づいて前記各データベースを参照し、該当する鍵情報を送信する工程と、
を備えたことを特徴とするコンテンツ流通方法。
【発明の詳細な説明】
【０００１】
【発明の属する技術分野】
本発明は、電子書籍（ｅＢｏｏｋ）、音楽、動画等の任意のコンテンツの流通に用いられるコンテンツ流通システムの管理装置、閲覧用装置、プログラム及び方法に関する。
【０００２】
【従来の技術】
近年、情報化社会の発展に伴い、本や新聞などを電子化したコンテンツをユーザ端末に配信し、コンテンツを閲覧可能とするコンテンツ流通システムが広く用いられるようになってきている。
【０００３】
係るコンテンツ流通システムとしては、例えば特開２００２−１０９３９８号公報に示すように、コンテンツの配布に対する対価を適切に処理することにより、ネットワークを用いて電子書籍システムなどを広く普及させるための課金収受技術が考えられている（第６段落参照）。
【０００４】
この課金収受技術は、上述した対価を適切に処理する観点から、分配金の情報をコンテンツの配布経路ＩＤに基づく配送業者などに送信するものである（第７７段落参照）。
【０００５】
【発明が解決しようとする課題】
しかしながら以上のようなコンテンツ流通システムは、通常の観点からは何の問題も無いが、本発明者の観点からは、コンテンツの流通をより容易にするために、別の手法を検討する余地があると考えられる。
【０００６】
本発明は上記実情を考慮してなされたもので、コンテンツの流通をより容易にし得るコンテンツ流通システムの管理装置、閲覧用装置、プログラム及び方法に関する。
【０００７】
【課題を解決するための手段】
第１の発明は、暗号化コンテンツ情報をユーザに配布し、前記ユーザから鍵代金又は鍵代金支払い済み情報を受けると、前記暗号化コンテンツ情報を復号可能な鍵情報を前記ユーザに配布することにより、コンテンツを流通させるコンテンツ流通システムの管理装置であって、前記暗号化コンテンツ情報を示すコンテンツＩＤ、前記ユーザを示すユーザＩＤ、及び前記暗号化コンテンツ情報を配布した業者又はユーザを示す配布者ＩＤの組を管理し、前記鍵代金に相当する鍵代金情報又は前記鍵代金支払い済み情報と前記各ＩＤを含む送信要求とを受信すると、前記鍵情報を送信する管理手段、を備えたコンテンツ流通システムの管理装置である。
【０００８】
これにより、複雑な配布経路情報を用いることなく、配布者ＩＤのみで配布経路を特定するので、システムを簡素化でき、もって、コンテンツの流通をより容易に行なうことができる。
【０００９】
また、配布者が販売業者に限定されず、一般ユーザも配布者になることができるので、コンテンツの流通経路を柔軟かつ容易に管理することができる。
【００１０】
また、第１の発明は、システム全体の管理装置を記述して「装置」と表現したが、これに限らず、各装置毎に又は各装置の集合を「システム」、「装置」、「プログラム」、「コンピュータ読取可能な記憶媒体」又は「方法」として表現しても良いことは言うまでもない。
【００１１】
【発明の実施の形態】
以下、本発明の各実施形態について図面を参照して説明する。
（第１の実施形態）
図１は本発明の第１の実施形態に係るコンテンツ流通システムの構成を示す模式図である。このコンテンツ流通システムは、管理センタ装置１０、配布窓口装置２０、コンテンツ記憶媒体３０、鍵記憶媒体４０及びユーザ端末５０から構成されている。なお、第５の実施形態で示すようにコンテンツ記憶媒体３０と鍵記憶媒体４０は物理的に１つの記憶媒体内に実装される場合もある。
【００１２】
ここで、管理センタ装置１０は、後で詳述するコンテンツの暗号化、ＩＤ管理、利益分配などに関わり、コンテンツ・鍵ＤＢ（Ｄａｔａｂａｓｅ）１及び購入履歴ＤＢ２を読出／書込可能に備えており、配布窓口装置２０からの通知（コンテンツＩＤ、流通履歴及びユーザＩＤ）に基づいて、対応する鍵情報を配布窓口装置２０に送信する機能と、配布窓口装置２０からの通知（配布窓口ＩＤ及び鍵代金情報）に基づいて、対応する配布手数料情報を配布窓口装置２０に送信する機能とをもっている。なお、鍵代金情報は、鍵代金支払い済み情報としてもよく、これは以下の各実施形態でも同様である。
【００１３】
ここで、コンテンツ・鍵ＤＢ１は、図２に示すように、暗号化コンテンツ情報毎に、鍵情報及びコンテンツ提供者ＩＤの組を保持するものであるが，場合によりコンテンツに関係するその他の情報を記録しても良い。なお、コンテンツ提供者とは、コンテンツの著作権を有する者で、本コンテンツ流通システムでコンテンツを流通させたいと考えている者のことを指す。また、各ＤＢ（データベース）は、メモリやハードディスク等のハードウェア構成で実現可能であり、データ記憶装置と読み替えても良い。
【００１４】
暗号化コンテンツ情報は、図３に示すように、コンテンツＩＤ毎に、閲覧ルール（コンテンツ提供者が定めるコンテンツの閲覧規則、管理情報）、閲覧履歴、電子コンテンツ（平文の第１部分、システム鍵で暗号化した第２部分、コンテンツ鍵で暗号化した第３部分）、流通履歴（販売窓口ＩＤ、最初の紹介者のユーザＩＤ、次の紹介者のユーザＩＤ、…）を備えたものである。
【００１５】
なお、本コンテンツ流通システム中、コンテンツと呼ぶのは、電子コンテンツと閲覧ルールなどの情報を含んだものを意味している。また、システム鍵とは、本コンテンツ流通システム中、管理センタ装置１０と、ユーザ端末５０とが共有している鍵を意味している。
【００１６】
鍵情報は、図４に示すように、コンテンツＩＤ毎に、コンテンツ鍵（暗号化コンテンツを復号する鍵）及び鍵属性（鍵情報のもつ属性、例えば利用期限など）を備えたものである。すなわち、本コンテンツ流通システム中、鍵情報は一つの固まりとして送受信される。
【００１７】
購入履歴ＤＢ２は、図５に示すように、購入履歴ＩＤ毎に、コンテンツＩＤ、購入者のユーザＩＤ、後述する決算窓口ＩＤ、及び流通履歴を保持するものである。なお、購入者のユーザは、後述するが、紹介者になることも可能である。流通履歴は、配布した者のＩＤの履歴であり、始めは配布窓口ＩＤであるが、次以降はその暗号化コンテンツを紹介したユーザを示すユーザＩＤとなる。
【００１８】
配布窓口装置２０は、予め自装置２０を示す配布窓口ＩＤを保持し、この配布窓口ＩＤや暗号化コンテンツ等のダウンロード機能及び鍵代金処理機能を有するコンピュータであり、例えば（１）駅の売店やコンビニエンスストア等に配置された端末装置、（２）書店に配置された端末装置、（３）インターネットに接続されたサーバ装置（Ｗｅｂ上のバーチャル店舗）、（４）暗号化コンテンツを無線で入力するホットスポット（例、駅の自動改札機や任意場所の喫煙所（灰皿など）に配置された送信局）、（５）ＣＤショップ等に配置されたＣＤ−ＲＯＭやＤＶＤの頒布装置、といった任意の形態により実現可能となっている。
【００１９】
但し、本実施形態の配布窓口装置２０は、上記（１）、（２）又は（５）の形態の如き、ユーザが鍵代金（紙幣及び／又は硬貨）を入力可能な装置を例に挙げて説明する。なお、他の（３）又は（４）の形態の場合あるいは他のユーザから紹介された暗号化コンテンツを視聴する場合に関しては、ユーザ端末５０を、鍵代金情報（電子マネー又は決済情報）及び配布窓口ＩＤを送信可能な機能と、管理センタ装置１０から送信された鍵情報を受信する機能とを備えた装置として実現すればよい。
【００２０】
補足すると、本実施形態の配布窓口装置２０は、（１）〜（３），（５）の形態のように、基本的にはユーザが能動的に暗号化コンテンツ情報をダウンロードするＰＵＬＬ型であるが、（４）の形態のように、ユーザが受動的に暗号化コンテンツ情報のダウンロードを受けるＰＵＳＨ型としても実現可能となっている。
【００２１】
なお、前述したダウンロード機能は、具体的には次の各機能（ＤＬ１）〜（ＤＬ７）から構成されている。
（ＤＬ１）　ユーザの操作により、コンテンツ記憶媒体３０が挿入されると、鍵記憶媒体３０内のユーザＩＤを読出す機能。
【００２２】
（ＤＬ２）　鍵記憶媒体４０が挿入されると、コンテンツ記憶媒体４０内のコンテンツ自動引出情報からダウンロードするコンテンツＩＤを読出す機能。ここで、コンテンツ自動引出情報は、ダウンロードする暗号化コンテンツ情報を予め指定するための情報であり、単なるＩＤ情報に限らず、曜日や日付等の時間情報とＩＤ情報とを組合せたＩＤ制御情報としてもよい。ＩＤ制御情報の場合、例えば月曜日は、ある暗号化コンテンツ情報をダウンロードし、火曜日は、他の暗号化コンテンツ情報をダウンロードするというように、ダウンロードする暗号化コンテンツ情報を切換える用途に好ましい。
【００２３】
（ＤＬ３）　配布窓口装置２０からダウンロード可能なコンテンツのリストを表示して、上記リストからユーザの操作により、ダウンロードするコンテンツＩＤを読み出すコンテンツ指定機能。
なお、機能（ＤＬ２）及び（ＤＬ３）は、少なくともいずれか一方があればよい。
【００２４】
（ＤＬ４）　ユーザの操作により、鍵代金が入金されると、コンテンツＩＤに基づいて配布窓口ＤＢ２１を検索し、該当する暗号化コンテンツ情報があることを確認する機能。
【００２５】
（ＤＬ５）　コンテンツＩＤ、流通履歴（配布窓口ＩＤ）、ユーザＩＤを管理センタ装置１０に通知する機能。
【００２６】
（ＤＬ６）　暗号化コンテンツ情報をコンテンツ記憶媒体３０にダウンロードする機能。
（ＤＬ７）　鍵記憶媒体４０から鍵記憶媒体ＩＤを読み出し、その鍵記憶媒体ＩＤを利用して鍵情報を鍵暗号化部（図示せず）で暗号化し、鍵記憶媒体に書き込みする機能。
【００２７】
また、前述した鍵代金処理機能は、鍵情報をユーザ端末５０に送信した後、鍵代金に相当する鍵代金情報と、配布窓口ＩＤとを管理センタ装置１０に送信する機能からなる。なお、鍵代金情報及び配布窓口ＩＤ（又は紹介者のユーザＩＤ）を管理センタ装置１０に送信する場合、既存の暗号技術を用いて送信内容を保護することが好ましく、これは以下の各実施形態でも同様である。
【００２８】
配布窓口コンテンツＤＢ２１は、配布窓口装置２０から読出／書込可能なものであり、コンテンツＩＤ毎に、暗号化コンテンツ情報を保持するものである。
【００２９】
コンテンツ記憶媒体３０は、ユーザに携帯され、暗号化コンテンツ情報を配布窓口装置２０から書込可能でユーザ端末５０から読出可能としたメモリカードであり、配布窓口装置２０からダウンロードする暗号化コンテンツ情報を示すコンテンツ自動引出情報が予め保持されている場合もある。但し、コンテンツ記憶媒体３０は、読出／書込可能なものに限らず、暗号化コンテンツ情報の読出のみ可能としたメモリカードとしてもよい。
【００３０】
鍵記憶媒体４０は、ユーザに携帯され、ユーザＩＤを配布窓口装置２０から読出可能とし、暗号化鍵情報をユーザ端末５０から書込可能としたメモリカードであり、自記憶媒体４０を示す鍵記憶媒体ＩＤ及びユーザを示すユーザＩＤが予め保持されている。なお、鍵記憶媒体４０は、セキュアなものが使用される。
【００３１】
ユーザ端末５０は、コンテンツ記憶媒体３０及び鍵記憶媒体４０を着脱自在に保持する機能を有し、ユーザの操作により、コンテンツ記憶媒体３０内の暗号化コンテンツを鍵記憶媒体４０内の鍵情報により復号し、得られたコンテンツを表示する機能をもっている。ユーザ端末５０は具体的には、専用ビューワー、ＰＣ、汎用ＰＤＡなどが使用可能となっている。
【００３２】
次に、以上のように構成されたコンテンツ流通システムの動作を説明する。
いま、配布窓口装置２０は、ユーザの操作により、コンテンツ記憶媒体３０及び鍵記憶媒体４０が挿入されると、コンテンツ記憶媒体３０内のコンテンツ自動引出情報を読出すか、コンテンツ指定機能のいずれかでコンテンツＩＤを得て、鍵記憶媒体４０内のユーザＩＤを読出す。
【００３３】
そして、配布窓口装置２０は、ユーザの操作により、鍵代金が入金されると（ＳＴ１）、コンテンツＩＤに基づいて配布窓口ＤＢ２１を検索し、該当する暗号化コンテンツ情報があることを確認する。なお、無い場合には、このコンテンツＩＤを管理センタ装置１０に送信して暗号化コンテンツ情報をダウンロードするが、ここでは有るものとする。
【００３４】
次に、配布窓口装置２０は、コンテンツＩＤ、流通履歴（配布窓口ＩＤ）、ユーザＩＤを管理センタ装置１０に通知する（ＳＴ２）。
【００３５】
管理センタ装置１０は、この通知内容に基づいてコンテンツ・鍵ＤＢ１内の対応する鍵情報を配布窓口装置２０に送信する（ＳＴ３）。
【００３６】
配布窓口装置２０は、暗号化コンテンツ情報をコンテンツ記憶媒体３０にダウンロードし、鍵情報を前出の鍵記憶媒体ＩＤを用いて鍵暗号化部で暗号化して鍵記憶媒体４０に書き込む（ＳＴ４）。
【００３７】
その後、配布窓口装置２０は、鍵代金に相当する鍵代金情報と、配布窓口ＩＤとを管理センタ装置１０に送信する（ＳＴ５）。
【００３８】
管理センタ装置１０は、流通履歴に応じた配布手数料に相当する配布手数料情報を配布窓口装置２０に送信する（ＳＴ６）。
【００３９】
上述したように本実施形態によれば、複雑な配布経路情報を用いることなく、配布窓口装置２０を示す配布窓口ＩＤを用いて配布者を特定するので、コンテンツ流通システムを簡素化でき、もって、コンテンツの流通をより容易にすることができる。
【００４０】
（第２の実施形態）
図６は本発明の第２の実施形態に係るコンテンツ流通システムの構成を示す模式図であり、図１と同種の要素には同一符号を付してその詳しい説明を省略し、ここでは異なる部分について主に述べる。なお、以下の各実施形態も同様にして重複した説明を省略する。
【００４１】
すなわち、本実施形態は、第１の実施形態の変形例であり、ダウンロード機能及び鍵代金処理機能を有する配布窓口装置２０に代えて、配布窓口装置４０の鍵代金処理機能を省略した配布窓口装置２０ａを備えている。これに伴い、鍵代金処理機能などを有する決算窓口装置６０を備えている。
【００４２】
ここで、本実施形態における各装置の構成を詳しく説明する。
【００４３】
管理センタ装置１０は、図７に示すように、前述した各ＤＢ１，２に加え、コンテンツ提供者ＤＢ３、ユーザグループＤＢ４、ユーザＤＢ５、配布窓口ＤＢ６及び決算窓口ＤＢ７を読出／書込可能に有している。また、コンテンツ登録部１１、暗号化処理部１２、コンテンツ配信部１３、グループ処理部１４、鍵配信部１５及び利益分配部１６を備えている。
【００４４】
コンテンツ提供者ＤＢ３は、図８に示すように、コンテンツ提供者ＩＤ毎に、コンテンツ提供者属性及び１以上のコンテンツＩＤを保持している。
【００４５】
ユーザグループＤＢ４は、図９に示すように、ユーザグループＩＤ毎に、１以上のユーザＩＤを保持している。
【００４６】
ユーザＤＢ５は、図１０に示すように、ユーザＩＤ毎に、ユーザグループＩＤ、ユーザ属性（例、名前、住所など）、ユーザ端末ＩＤ、ユーザ購入履歴（ユーザの購入してきた履歴情報）、ユーザ紹介履歴（ユーザのコンテンツを紹介してきた履歴情報）を保持している。
【００４７】
配布窓口ＤＢ６は、図１１に示すように、配布窓口ＩＤ毎に、配布窓口属性を保持している。
【００４８】
決算窓口ＤＢ７は、図１２に示すように、決算窓口ＩＤ毎に、決算窓口属性を保持している。
【００４９】
コンテンツ登録部１１は、図１３に示すように、コンテンツ提供者の端末等から受けた平文コンテンツ及び閲覧ルールを登録するためのものであり、コンテンツ提供者ＩＤ毎に、コンテンツ提供者属性及びコンテンツＩＤをコンテンツ提供者ＤＢ３に登録する機能と、平文コンテンツ及び閲覧ルールを暗号化処理部１２に送出する機能とをもっている。
【００５０】
暗号化処理部１２は、コンテンツ登録部１１から受けた平文コンテンツ及び閲覧ルールのうち、平文コンテンツの一部又は全部を暗号化して暗号化コンテンツ情報及び鍵情報を作成する機能と、これら暗号化コンテンツ情報及び鍵情報をコンテンツ・鍵ＤＢ１に格納する機能をもっている。
【００５１】
コンテンツ配信部１３は、図１４に示すように、コンテンツ・鍵ＤＢ１内の暗号化コンテンツ情報を配布窓口装置２０ａに配信する機能と、配布窓口装置２０ａからのコンテンツ請求により、コンテンツ・鍵ＤＢ１内の該当する暗号化コンテンツ情報を配布窓口装置２０ａに配信する機能とをもっている。
【００５２】
グループ処理部１４は、鍵配信要求があった場合にその要求が鍵配信部１４に到達する前の処理を行うところで省略可能である。図１５に示すように、購入要求に含まれるユーザＩＤと同じグループＩＤの他のユーザが既に同一の鍵情報を購入済みであるか否かを判定する機能と、判定の結果、購入済みのとき、所定のグループ特典処理を行なうように利益分配部１６を制御する機能と、判定の後、これら購入要求等を鍵配信部に送出する機能とをもっている。
【００５３】
ここで、グループＩＤは、家族等に限らず、コンテンツ著作者（又は提供者）のファンクラブといった任意のグループを指定するＩＤとすることが可能である。また、グループ特典処理としては、鍵代金を無料又は割引料金とするか、手数料を取らない、またはグループＩＤに含まれるユーザＩＤの数に比例して割引をする等、といったグループＩＤ毎に任意の特典が設定可能である。
【００５４】
鍵配信部１５は、図１６に示すように、グループ処理部１４、もしくはユーザから受けた購入要求等に基づいて、購入履歴を購入履歴ＤＢ２に格納する機能と、コンテンツ・鍵ＤＢ１内の該当する鍵情報に鍵属性を付加して決算窓口装置６０に配信する機能とをもっている。ここで、鍵属性としては、図１７に示すように、例えば使用期限や鍵ハッシュ情報などが用いられる。
【００５５】
利益分配部１６は、図１８に示すように、決算窓口装置６０から受けた鍵代金情報を各ＤＢ２〜７を参照しつつ、自己の収益と各装置の手数料として分配するためのものである。
【００５６】
一方、配布窓口装置２０ａは、図１９に示すように、前述した配布窓口ＤＢ２１に加え、コンテンツ登録部２２、コンテンツ請求部２３、配布窓口ＩＤ付加部２４を備えている。
【００５７】
コンテンツ登録部２２は、管理センタ装置１０から受けた暗号化コンテンツ情報を配布窓口コンテンツＤＢ２１に登録する機能をもっている。
【００５８】
コンテンツ請求部２３は、図２０に示すように、配布窓口装置２０ａに挿入されたコンテンツ記憶媒体３０内のコンテンツ自動読出情報、又はコンテンツ指定機能からのコンテンツＩＤに基づいて配布窓口コンテンツＤＢ２１にコンテンツを問合せ、該当する暗号化コンテンツ情報がある時にはそれを配布窓口ＩＤ付加部２４に転送させ、該当する暗号化コンテンツ情報が無い時には管理センタ装置１０にコンテンツ請求を送信し、該当する暗号化コンテンツ情報を配布窓口ＩＤ付加部２４に送信させるためのものである。
【００５９】
配布窓口ＩＤ付加部２４は、配布窓口コンテンツＤＢ２１又は管理センタ装置１０から受けた暗号化コンテンツ情報をコンテンツ記憶媒体３０に書込む前に、暗号化コンテンツ情報内の流通履歴に配布窓口ＩＤを付加する機能をもっている。
【００６０】
コンテンツ記憶媒体３０は、前述した機能において、図２１に示すように、コンテンツ自動読出情報（無い場合もある）と暗号化コンテンツ情報を記憶する書換可能領域を備えている。
【００６１】
鍵記憶媒体４０は、前述した機能において、図２２に示すように、鍵記憶媒体ＩＤが読出可能に記憶された書換不可領域と、鍵記憶媒体ＩＤを共通鍵にして鍵情報が暗号化されてある暗号化鍵情報が読出／書込可能に記憶される書換可能領域を備えている。
【００６２】
ユーザ端末５０は、図２３に示すように、通信部５１、鍵暗号化部５２、Ｒ／Ｗ（読出／書込）部５３、鍵検証処理部５４、閲覧処理部５５、Ｒ／Ｗ部５６、表示部５７、操作部５８及びユーザＩＤ付加部５９を備えている。
【００６３】
通信部５１は、決算窓口装置６０から受信した鍵情報を鍵暗号化部５２に送出する機能をもっている。
【００６４】
鍵暗号化部５２は、図２４に示すように、通信部５１から受けた鍵情報を、鍵記憶媒体４０からＲ／Ｗ部５３を介して読出した鍵記憶媒体ＩＤに基づいて暗号化し、得られた暗号化鍵情報をＲ／Ｗ部５３を介して鍵記憶媒体４０に書込むものである。
【００６５】
Ｒ／Ｗ部５３は、ユーザ端末５０から鍵記憶媒体４０に対してデータを読出／書込するためのインターフェイスである。
【００６６】
鍵検証処理部５４は、図２５に示すように、鍵記憶媒体４０からＲ／Ｗ部５３を介して読出した暗号化鍵情報を復号して改竄されていないか検証し、検証結果が正当なとき、鍵情報を閲覧処理部５５に出力するものである。検証対象としては、例えば、鍵属性内の鍵ハッシュ情報や使用期限などがある。
【００６７】
閲覧処理部５５は、図２６に示すように、コンテンツ記憶媒体３０内の暗号化コンテンツ情報をシステム鍵に基づいて復号し、表示処理して表示部に出力する試し閲覧機能と、図２７に示すように、コンテンツ記憶媒体３０からＲ／Ｗ部５６を介して読出した暗号化コンテンツ情報をシステム鍵、及び鍵検証処理部５４からの鍵情報に基づいて復号し、表示処理して表示部に出力する閲覧機能とをもっている。
【００６８】
Ｒ／Ｗ部５６は、ユーザ端末５０からコンテンツ記憶媒体３０に対してデータを読出／書込するためのインターフェイスである。
【００６９】
表示部５７は、閲覧処理部５５から受けた電子コンテンツを表示するものである。
【００７０】
操作部５８は、ユーザの操作により、表示箇所を制御するための制御信号を閲覧処理部５５に入力するものである。
【００７１】
ユーザＩＤ付加部５９は、図２８に示すように、コンテンツ記憶媒体３０内の暗号化コンテンツ情報の流通履歴に、鍵記憶媒体４０内のユーザＩＤを付加する機能をもっている。
【００７２】
また一方、決算窓口装置６０は、図２９に示すように、鍵代金情報生成部６１、決算窓口ＩＤ付加部６２及び鍵暗号化部６３を備えている。
【００７３】
鍵代金情報生成部６１は、ユーザから支払われた鍵代金に相当する鍵代金情報を生成し、この鍵代金情報を管理センタ装置１０に送信する機能をもっている。
【００７４】
決算窓口ＩＤ付加部６２は、コンテンツ記憶媒体３０から読出したコンテンツＩＤ及び配布窓口ＩＤ等を含む流通履歴と鍵記憶媒体４０から読出したユーザＩＤとを管理センタ装置１０に送信する前に、決算窓口ＩＤを付加するものである。
【００７５】
鍵暗号化部６３は、決算窓口装置６０に鍵記憶媒体４０が挿入され、決算窓口装置６０が管理センタ装置６０から鍵情報を受信したとき、この鍵情報を鍵記憶媒体４０から読み出した鍵記憶媒体ＩＤに基づいて暗号化し、得られた暗号化鍵情報を鍵記憶媒体４０に直接書込む機能をもっている。
【００７６】
次に、以上のように構成されたコンテンツ流通システムの動作を図６を用いて説明する。なお、コンテンツの登録に関しては、管理センタ装置１０のコンテンツ登録部１１や配布窓口装置２０ａのコンテンツ登録部２２等が実行済みであるものとする。
【００７７】
いま、配布窓口装置２０ａは、ユーザの操作により、コンテンツ記憶媒体３０が挿入されると、コンテンツ記憶媒体３０からコンテンツ自動引出情報を読出すか、ユーザの操作のどちらかによってダウンロードするコンテンツのコンテンツＩＤを配布窓口装置２０ａに伝える（ＳＴ１１）。また、このコンテンツＩＤに基づいて配布窓口ＤＢ２１を検索し、該当する暗号化コンテンツ情報に配布窓口ＩＤを流通履歴に付加してコンテンツ記憶媒体３０にダウンロードする（ＳＴ１２）。なお、該当する暗号化コンテンツ情報が配布窓口ＤＢ２１に無い場合には前述同様に、管理センタ装置１０からダウンロードして同様の処理を行なう。
【００７８】
次に、ユーザ端末５０は、ユーザの操作により、コンテンツ記憶媒体３０が挿入され、閲覧処理部５５により、ステップＳＴ１２で得た暗号化コンテンツ情報に対してシステム鍵のみによる復号処理（試し閲覧処理）が行なわれる。
【００７９】
この時、ユーザは、この暗号化コンテンツ情報の制限を解除するか否かを判断する。解除しない場合はこれで終了するが、ここでは解除する場合を述べる。
【００８０】
ユーザは、コンテンツ記憶媒体３０及び鍵記憶媒体４０を挿入する。これにより、決算窓口装置６０は、コンテンツ記憶媒体３０内のコンテンツＩＤ及び流通履歴を読出し、鍵記憶媒体４０内のユーザＩＤと鍵記憶媒体ＩＤを読出す。また、ユーザは、鍵代金を決算窓口装置６０に入金する（ＳＴ１３）。
【００８１】
決算窓口装置６０は、これらコンテンツＩＤ、流通履歴及びユーザＩＤに決算窓口ＩＤを付加して管理センタ装置に送信する（ＳＴ１４）。
【００８２】
管理センタ装置１０は、グループ処理部１４が同一グループ内の既存の購入者の有無を判断した後、鍵配信部１４がコンテンツＩＤに対応する鍵情報を決算窓口装置６０に送信する。
【００８３】
決算窓口装置６０は、この鍵情報をＳＴ１３で受け取った鍵記憶媒体ＩＤにより鍵暗号化部６３で暗号化し鍵記憶媒体４０に書き込む（ＳＴ１５）。これにより、ユーザ端末５０は、暗号化コンテンツ情報の閲覧処理が可能となる。
【００８４】
また、決算窓口装置６０は、鍵情報の送信の後、鍵代金に相当する鍵代金情報と、決算窓口ＩＤとを管理センタ装置１０に送信する（ＳＴ１６）。
【００８５】
管理センタ装置１０は、これら鍵代金情報等を受けると、利益分配部１６が各ＤＢ２〜７を参照し、配布手数料を配布窓口装置２０ａに送信し、決算手数料を決算窓口装置６０に送信する（ＳＴ１７）。
【００８６】
上述したように本実施形態によれば、配布窓口装置２０ａと、決算窓口装置６０とを分離した構成としても、第１の実施形態と同様の作用効果を得ることができる。
【００８７】
（第３の実施形態）
図３０は本発明の第３の実施形態に係るコンテンツ流通システムの構成を示す模式図である。
本実施形態は、第２の実施形態の変形例であり、現金決済用の決算窓口装置６０に代えて、クレジット決済用に、通信にて鍵代金情報を受付可能なＩＳＰ（Ｉｎｔｅｒｎｅｔ　Ｓｅｒｖｉｃｅ　Ｐｒｏｖｉｄｅｒ；　インターネット接続業者）装置７０を備えた例である。なお、これに伴い、ユーザ端末５０をインターネットに接続可能な装置（例、パーソナルコンピュータ（ＰＣ）等）と規定したユーザ端末５０ａを用いている。
【００８８】
以上のような構成としても、第２の実施形態と同様の作用効果を得ることができる。
【００８９】
（第４の実施形態）
図３１は本発明の第４の実施形態に係るコンテンツ流通システムの構成を示す模式図である。
【００９０】
本実施形態は、第１乃至第３の実施形態に適用可能な例であるが、第３の実施形態を代表例に挙げて述べる。
【００９１】
すなわち、本実施形態は、ユーザＢが配布窓口装置２０ａから暗号化コンテンツ情報を受けずに、ユーザＡから紹介等により暗号化コンテンツ情報を受けた場合を示している。これに伴い、流通履歴の最後のＩＤが配布窓口ＩＤではなく、ユーザＡ　ＩＤとなっている。
【００９２】
以上のような構成としても、第３の実施形態と同様の作用効果を得ることができる。但し、管理センタ装置１０が分配する配布手数料は、流通履歴の最後のユーザＡ　ＩＤで示されるユーザＡに送られる。
【００９３】
すなわち、本実施形態によれば、配布窓口装置２０ａ，２０に限らず、各ユーザが暗号化コンテンツ情報を流通させることができるので、コンテンツの流通をより一層容易にすることができる。
【００９４】
（第５の実施形態）
本実施形態は、第１乃至第４の各実施形態の変形例であり、鍵記憶媒体４０及びコンテンツ記憶媒体３０に代えて、図３２に示すように、これら両記憶媒体４０，３０の機能を有する一体型の鍵・コンテンツ記憶媒体８０を用いて構成されている。
【００９５】
詳しくは、鍵・コンテンツ記憶媒体８０は、記憶媒体ＩＤを保持する書換不可領域と、ユーザＩＤ（記憶媒体ＩＤで暗号化済み）、暗号化鍵情報、コンテンツＩＤ、コンテンツ自動引出情報及び暗号化コンテンツ情報を読出／書込可能に保持するための書換可能領域とを備えている。また、コンテンツＩＤやコンテンツ自動引出情報を書込む機能は、例えば配布窓口装置２０，２０ａやユーザ端末５０，５０ａ上で実現すればよい。
【００９６】
以上のような構成としても、第１乃至第４の実施形態と同様の作用効果を得ることができ、さらに、システムの利用に必要な記憶媒体の個数を１個にすることができる。また、定期的に視聴するコンテンツのコンテンツＩＤを個人的に編集することができる。
【００９７】
（第６の実施形態）
本実施形態は、第５の実施形態の変形例であり、前述したコンテンツＩＤ及びコンテンツ自動引出情報を１回のみ記憶媒体に設定可能としたものである。
係る記憶媒体としては、具体的には鍵・コンテンツ記憶媒体８０に代えて、鍵・コンテンツ記憶媒体８０とコンテンツ記憶媒体３０の両記憶媒体の機能を有するユーザ設定記憶媒体（マイ・メディア；ｍｙ　ｍｅｄｉａ）を用いている。
【００９８】
ここで、ユーザ設定記憶媒体は、鍵・コンテンツ記憶媒体８０の構成において、１回のみ書換可能な記憶領域を設け、この記憶領域に選択したコンテンツＩＤを書込むものである。また、コンテンツＩＤやコンテンツ自動引出情報を書込む機能は、前述同様に、配布窓口装置２０，２０ａ等で実現すればよい。
【００９９】
以上のような構成により、第５の実施形態の効果に加え、鍵・コンテンツ記憶媒体８０とコンテンツ記憶媒体３０の両記憶媒体の利点を同時に実現させることができる。
【０１００】
（第７の実施形態）
本実施形態は、第１乃至第６の実施形態の変形例であり、不正なユーザに対しては鍵情報の送信を禁止する無効化機能を管理センタ装置１０が有するものである。
【０１０１】
具体的には、管理センタ装置１０は、ユーザＤＢ５のユーザ属性に「不正なユーザ」を示すフラグを設定し、不正なユーザのユーザＩＤを受信したとしても、鍵情報を送信しない構成となっている。
【０１０２】
以上のような構成により、不正なユーザ端末５０によるコンテンツの不正な視聴を阻止することができる。
【０１０３】
（第８の実施形態）
本実施形態は、第１乃至第７の実施形態の変形例であり、１つの暗号化コンテンツ情報に対し、複数の鍵情報を設定するものである。例えば、暗号化コンテンツ情報が新聞の場合、各記事毎に鍵情報を設定する構成である。これは新聞とその記事に限らず、音楽アルバムに対して各曲毎に鍵情報を設定するといったように、適宜に応用可能なことはいうまでもない。なお、これに伴い、管理装置１０の鍵配信部１５は、購入要求毎に、複数の鍵情報のうち、一部の鍵情報を送信するものが用いられる。
【０１０４】
以上のような構成により、コンテンツを視聴した分だけ課金を行なうことができる。
【０１０５】
（第９の実施形態）
本実施形態は、第１乃至第４の実施形態の変形例であり、予め鍵情報を備えた閲覧用端末を店頭、列車又は旅客機などに設置し、その閲覧用端末で閲覧可能な暗号化コンテンツ情報を保持するコンテンツ記憶媒体３０をユーザに配布するものである。
【０１０６】
これにより、ユーザが店頭等で一時的に閲覧用端末を占有してコンテンツを視聴し、気に入れば鍵情報を購入する、といった流通形態を実現することができる。ここで、鍵情報の購入要求は、閲覧用端末の操作により管理センタ装置１０に送信してもよく、また、前述した各実施形態と同様に窓口装置等を介して送信してもよい。また、閲覧用端末を設置した者も、前述同様に配布手数料を得ることができる。これに加え、閲覧用端末の設置者がユーザに付加サービスを提供する場合には、予めこの設置者（コンテンツ記憶媒体３０の配布者）が自己の配布者ＩＤとコンテンツＩＤ毎に料金割引等の付加サービス情報を管理センタ装置１０に登録しておけばよい。これにより、同じコンテンツであっても、ユーザがどの配布者から暗号化コンテンツ情報を入手するかによって、ユーザの受ける付加サービスを変更できる。具体的には例えば、前述の鍵購入時に送られる各データ（ＩＤ等）に基づいて管理センタ装置が、ユーザに対して課金する購入代金の一部を閲覧用端末の設置者に課金することもできる。このような形態は、例えば航空会社が利用者に対するコンテンツの割引サービス等として提供することができる。
【０１０７】
なお、上記各実施形態に記載した手法は、管理センタ装置１０、配布窓口装置２０，２０ａ、ユーザ端末５０，５０ａ、決算窓口装置６０及びＩＳＰ装置７０の各々のコンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【０１０８】
また、この記憶媒体としては、プログラムを記憶でき、かつコンピュータが読み取り可能な記憶媒体であれば、その記憶形式は何れの形態であっても良い。
【０１０９】
また、記憶媒体からコンピュータにインストールされたプログラムの指示に基づきコンピュータ上で稼働しているＯＳ（オペレーティングシステム）や、ＤＢ管理ソフト、ネットワークソフト等のＭＷ（ミドルウェア）等が本実施形態を実現するための各処理の一部を実行しても良い。
【０１１０】
さらに、本発明における記憶媒体は、コンピュータと独立した媒体に限らず、ＬＡＮやインターネット等により伝送されたプログラムをダウンロードして記憶または一時記憶した記憶媒体も含まれる。
【０１１１】
また、記憶媒体は１つに限らず、複数の媒体から本実施形態における処理が実行される場合も本発明における記憶媒体に含まれ、媒体構成は何れの構成であっても良い。
【０１１２】
尚、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であっても良い。
【０１１３】
また、本発明におけるコンピュータとは、パソコンに限らず、情報処理機器に含まれる演算処理装置、マイコン等も含み、プログラムによって本発明の機能を実現することが可能な機器、装置を総称している。
【０１１４】
なお、本願発明は、上記各実施形態に限定されるものでなく、実施段階ではその要旨を逸脱しない範囲で種々に変形することが可能である。また、各実施形態は可能な限り適宜組み合わせて実施してもよく、その場合、組み合わされた効果が得られる。さらに、上記各実施形態には種々の段階の発明が含まれており、開示される複数の構成要件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【０１１５】
その他、本発明はその要旨を逸脱しない範囲で種々変形して実施できる。
【０１１６】
【発明の効果】
以上説明したように本発明によれば、コンテンツの流通をより容易にすることができる。
【図面の簡単な説明】
【図１】本発明の第１の実施形態に係るコンテンツ流通システムの構成を示す模式図
【図２】同実施形態におけるコンテンツ・鍵ＤＢの構成を示す模式図
【図３】同実施形態における暗号化コンテンツ情報を説明するための模式図
【図４】同実施形態における鍵情報を説明するための模式図
【図５】同実施形態における購入履歴ＤＢの構成を示す模式図
【図６】本発明の第２の実施形態に係るコンテンツ流通システムの構成を示す模式図
【図７】同実施形態における管理センタ装置の構成を示す模式図
【図８】同実施形態におけるコンテンツ提供者ＤＢの構成を示す模式図
【図９】同実施形態におけるユーザグループＤＢの構成を示す模式図
【図１０】同実施形態におけるユーザＤＢの構成を示す模式図
【図１１】同実施形態における配布窓口ＤＢの構成を示す模式図
【図１２】同実施形態における決算窓口ＤＢの構成を示す模式図
【図１３】同実施形態におけるコンテンツ登録部を説明するための模式図
【図１４】同実施形態におけるコンテンツ配信部を説明するための模式図
【図１５】同実施形態におけるグループ処理部を説明するための模式図
【図１６】同実施形態における鍵配信部を説明するための模式図
【図１７】同実施形態における鍵属性を説明するための模式図
【図１８】同実施形態における利益分配部を説明するための模式図
【図１９】同実施形態における配布窓口装置の構成を示す模式図
【図２０】同実施形態におけるコンテンツ請求部を説明するための模式図
【図２１】同実施形態におけるコンテンツ記憶媒体の構成を示す模式図
【図２２】同実施形態における鍵記憶媒体の構成を示す模式図
【図２３】同実施形態におけるユーザ端末の構成を示す模式図
【図２４】同実施形態における鍵暗号化部を説明するための模式図
【図２５】同実施形態における鍵検証処理部を説明するための模式図
【図２６】同実施形態における閲覧処理部の試し閲覧機能を説明するための模式図
【図２７】同実施形態における閲覧処理部の閲覧機能を説明するための模式図
【図２８】同実施形態におけるユーザＩＤ付加部を説明するための模式図
【図２９】同実施形態における決算窓口装置の構成を示す模式図
【図３０】本発明の第３の実施形態に係るコンテンツ流通システムの構成を示す模式図
【図３１】本発明の第４の実施形態に係るコンテンツ流通システムの構成を示す模式図
【図３２】本発明の第５の実施形態に係るコンテンツ流通システムに適用される鍵・コンテンツ記憶媒体の構成を示す模式図
【符号の説明】
１…コンテンツ・鍵ＤＢ
２…購入履歴ＤＢ
３…コンテンツ提供者ＤＢ
４…ユーザグループＤＢ
５…ユーザＤＢ
６…配布窓口ＤＢ
７…決算窓口ＤＢ
１０…管理センタ装置
１１…コンテンツ登録部
１２…暗号化処理部
１３…コンテンツ配信部
１４…グループ処理部
１５…鍵配信部
１６…利益分配部
２０，２０ａ…配布窓口装置
２１…配布窓口ＤＢ
２２…コンテンツ登録部
２３…コンテンツ請求部
２４…配布窓口ＩＤ付加部
３０…コンテンツ記憶媒体
４０…鍵記憶媒体
５０，５０ａ…ユーザ端末
５１…通信部
５２…鍵暗号化部
５３，５６…Ｒ／Ｗ部
５４…鍵検証処理部
５５…閲覧処理部
５７…表示部
５８…操作部
５９…ユーザＩＤ付加部
６０…決算窓口装置
６１…鍵代金情報生成部
６２…決算窓口ＩＤ付加部
７０…ＩＳＰ装置
８０…鍵・コンテンツ記憶媒体
【図１】
2004094677.tif 000003
【図２】
2004094677.tif 000004
【図３】
2004094677.tif 000005
【図４】
2004094677.tif 000006
【図５】
2004094677.tif 000007
【図６】
2004094677.tif 000008
【図７】
2004094677.tif 000009
【図８】
2004094677.tif 000010
【図９】
2004094677.tif 000011
【図１０】
2004094677.tif 000012
【図１１】
2004094677.tif 000013
【図１２】
2004094677.tif 000014
【図１３】
2004094677.tif 000015
【図１４】
2004094677.tif 000016
【図１５】
2004094677.tif 000017
【図１６】
2004094677.tif 000018
【図１７】
2004094677.tif 000019
【図１８】
2004094677.tif 000020
【図１９】
2004094677.tif 000021
【図２０】
2004094677.tif 000022
【図２１】
2004094677.tif 000023
【図２２】
2004094677.tif 000024
【図２３】
2004094677.tif 000025
【図２４】
2004094677.tif 000026
【図２５】
2004094677.tif 000027
【図２６】
2004094677.tif 000028
【図２７】
2004094677.tif 000029
【図２８】
2004094677.tif 000030
【図２９】
2004094677.tif 000031
【図３０】
2004094677.tif 000032
【図３１】
2004094677.tif 000033
【図３２】
2004094677.tif 000034